(57)【要約】【課題】  自立ステッキの長さ調節と、三脚開閉の伸縮をロックする、複数のストッパーその他の、更なる改良をする【解決手段】  新に外筒を加え、三重筒構造とし、三脚開閉の伸縮で杖の高さが変わっても遠隔操作出来るカム付き角シャフトと角筒との伸縮と、カムの回動と、直動ストッパーとの組み合わせで、レバーの遠隔操作でストッパーのロックが解除すると、中筒はばねで伸び、三脚が開き自立する。グリップを下向きに押すと、連動する外筒と中筒が縮んで下がり、この動きが伝わった三脚が閉じると同時に、直動ストッパーの先端と、中筒のストッパーホールとの高さが等位し、ばねの作用で自動ロックするストッパー。使い易い長さに調節後の固定は、てこ、を使ったロックハンドルの軸受け付きロックストッパーで、僅かの力で、確実にロックし又は解除出来る、第２のストッパー。【選択図】図１１
2011245246.tif 000002
【特許請求の範囲】
【請求項１】
内筒と、中筒と、外筒との伸縮自在の三重筒構造によってなる自立ステッキは、内筒内部に直動ストッパーと二重角状体、下部にベース部と反転三脚を備え、中筒にはアーム軸兼ばね止め、ストッパーホール、回り止めスリットを備え、外筒には上部にグリップ、スリットと嵌るレバー、リターンばね、回り止めピン、下端にロックストッパーを備え、内筒ベース部と中筒の内側のアーム軸兼ばね止めの間に大バネを配し伸縮可能で、この伸縮の動きをアームが三脚に伝え、三脚を開閉し自立する。前記各部材によってなる自立ステッキ
【請求項２】
第１のストッパーは、直動ストッパーと、二重角状体によってなり、内筒の上部内側に備えた、直動ストッパー２４は、上部にクランク型のストッパートップ２８、内部に小スプリング２９を備え、内筒に設けた複数のスリット３４に嵌って直動自在となり、直動ストッパーの先端は、中筒のストッパーホール２１に届き、グリップを押すと、中筒と外筒も共に縮んで下り、ストッパーの先端と、中筒のストッパーホールとの高さが同位になると、小スプリングの作用で前進し、ストッパーホールに嵌り自動ロックする事と、逆に後退するとストッパーホールからストッパーの先端が外れロックが解除する事とを特徴とする、直動ストッパー。請求項１に記載の自立ステッキに備えたストッパー
【請求項３】
前記、直動ストッパーに動きを伝え、連動する二重角状体は、内筒内部に垂直に配し、角シャフト３２は断面が略四角形の棒状体で下端にカム３０を取り付け、その外側には角筒３３が嵌り図１０、角筒は断面が略四角形の筒状体であり、角シャフトと角筒との二重構造により上下に伸縮し、上部と下部の回動リングに嵌っての、回動と伸縮を同時に行う特徴を備え、角筒の上端に配したレバー２を押すと、角筒、角シャフト、カムも共に回動して、カムが直動ストッパーを押す事で直道ストッパーの先端が後退し、前記中筒のストッパーホールから外れ、ロックが解除され、中筒は大バネの作用で上に伸び、この動きがアームから三脚に伝わり三脚が開いて自立し、レバーから指を離すと、角筒上端のリターンばねで、角筒、角シャフト、カムは元の位置に戻り、直動ストッパーも小スプリングの作用で元の位置に戻り、レバーを押すと角筒は回動し、角筒と角シャフトの間は上下の伸縮で嵌る位置が変わっても確実に回動が伝わり、回動したカムに押され、直動ストッパーは後退し、中筒とのロックを解除出来、角筒と角シャフトとの伸縮と回動、カムの回動、直動ストッパーの組み合わせで、杖の長さが変化しても、離れているレバーの操作で、中筒のロックを解除する事と、グリップ１を押す事で、外筒と連動して下がる中筒のストッパーホールを、ストッパーが自動ロックする事とで、レバーとグリップでの遠隔操作が出来る事を特徴とする二重角状体。請求項１に記載の自立ステッキに備えたストッパー
【請求項４】
第２のストッパーは、杖の長さ調節後に固定する、軸受け付ロックストッパー１４で、外筒下端に上半分の上環が固着し、略環状体をなし、環状体の中央に水平の切り込み１５は円周の過半数以上に達し上下は分断され、又円周の半分未満の上環、下環は固着し上下は一体化していて、切り込みより下の下環の前面左右は分離され、隙間の左右に複数の軸受け２５を備え、軸受けに左右から力を加えると連なる下環の内径は縮み、内側に嵌る中筒４を締め付けロック可能で、前記軸受けにはロックピン１８が嵌り、その一端にはロックハンドル１６が止めピン１９で連結され、ロックハンドルは図１５の形状で、止めピンを支点に回動自在となり、てこ、の原理で軸受けを締め付ける事が出来、更に下環内側にスペーサー１７を配し、下環と連動して中筒をロックすると共に下環と中筒の隙間を埋め、前記ロックハンドルを下方へ垂直に９０度回すと、軸受け左右は接近し、連なる下環も径が縮小して、内側の中筒を締め付けロックする事と、ロックハンドルを水平にすると、軸受け付き下環は拡径してロックを解除し、外筒は上下に動き長さ調節可能となる事と、ロックハンドルは、てこ、の原理で僅かの力で強い締め付け力が発生する事とを特徴とする軸受け付きロックストッパー、請求項第１項に記載の自立ステッキに備えた第２のストッパー
【発明の詳細な説明】
【技術分野】
【０００１】障がい者や高齢者が使用する、杖  のストッパーに関する
【背景技術】
【０００２】先に出願した出願番号２００６−１３１９２７、倒れない杖のストッパーその他の更なる改良をする。
従来の技術には、モーターと電池を使って三脚を開閉して自立する杖があるが、モーターと電池を使用すると、重くなる欠点があり、又小さい電池を使用するため、長持ちせず頻繁な電池交換が必要で、電池購入の費用と手間、更に電池の交換が高齢者特に女性には難しい等の欠点がある
【発明の開示】
【発明が解決しようとする課題】
【０００３】前記の欠点をなくするには電池やモーターを使わない事、高齢者でも出来るきわめて簡単な操作で三脚を開閉し、自立する杖である事が求められ、先願の杖は三脚の開閉に二重筒の伸縮を利用するため、頻繁な伸縮による長さの変化Ａがあり、又、身長に合わせるための長さを調節する伸縮Ｂの変化がある。第１のストッパーはこのＡ、Ｂ二種類の伸縮に対応できるストッパーである事、グリップ付近から遠隔操作で、ロックとロック解除が出来るストッパーである事、杖の伸縮と三脚の開閉が連動して行われる事が重要である。又身長に合わせ杖の長さを調節するＢの変化には新にもう１本外筒を加え３重筒構造にして、その外筒で長さを調節出来る機能を加えると共に、調節後に固定する第２のストッパーは操作が簡単な事、高齢者の僅かの力でも強い固定力で確実にロック出来るストッパーである事が重要である。改良した複数のストッパーで、前記条件を解決する
【課題を解決するための手段】
【０００４】前記、二通りの長さの変化があっても、ストッパーを確実に操作するため、ストッパーの位置を変え、内筒の内部に取り付け、内筒内部に角状体を二重にして、上下の伸縮自在と、同時に回動を伝え、その回動でカムがストッパーを押し、ストッパーのロック解除を可能とし、前記二重角状体は杖の長さが頻繁かつ不規則に変化しても順応して、杖と等位伸縮し、同時に回動することで遠隔操作が可能となる。又身長に合わせる杖の長さの調節には新にもう一本の外筒を加えて三重筒とし、加えた外筒で長さを調節し、調節後は、てこ、の原理を使って締め付けロックする、第２のロックストッパーを備える。
【発明の効果】
【０００５】縮んでロックされている杖の、レバーを押すだけの簡単な操作で、直動ストッパーと二重角状体による遠隔操作でストッパーのロックを解除出来、解除すると、杖は伸び、この動きが伝わった三脚が開いて杖は自立が可能となり、又グリップを下向きに押すだけの簡単操作で、杖は縮み、三脚が閉じると同時に、下った中筒のストッパーホールを直動ストッパーが自動ロックし、三脚の開閉が、レバーとグリップを押すだけで、きわめて簡単に遠隔操作が出来る第１のストッパーシステムは、長さを変える時Ｂと三脚開閉の頻繁な伸縮Ａの二つの変化に対応出来る。又、身長に合わせる長さの調節は、新に加えた外筒で杖の長さを変更した後の固定は、ロックハンドルを下げるだけで、てこ、の原理の、軸受け付きロックストッパーが縮径して中筒を強力に締め付けロックし、高齢者でも僅かの力の簡単操作で、確実にロック出来る、第２の、ストッパー。
更に本発明は、モーターや電池を使用してないので軽量に出来、電池交換が不要で、電池代、電池を買う手間、電池交換の手間も不要となる。
【発明を実施するための最良の形態】
【０００６】ロックとロックの解除が、グリップを握る、手か指で遠隔操作出来る事が最大の目標である。対応するストッパーは、まず杖のどんな長さの変化にも、杖と共に等位伸縮し、同時にグリップ付近の手の動きを、離れたストッパーに伝えるには、角シャフトに角筒が嵌る二重構造とし、角筒上部は外筒の上部に延び、角筒上部にレバーを取り付け、レバーは外筒に設けたスリットに嵌り回動自在であり、角筒、角シャフトも回動自在に備え、中筒と内筒が伸縮すると、角筒と角シャフトも等位に伸縮する、角筒上部は外筒上部の回動リングに、角シャフトは下部の回動リングにそれぞれ嵌まり共に回動可能となる、以上により外筒、中筒と、内筒との伸縮と、角筒、角シャフトは等位に伸縮し、同時に回動可能となる。又外筒と中筒は身長に合わせた後ロックされているので、一体化して共に動き、指でレバーを押すと角筒が回り、内側に嵌る角シャフトとカムも回りカムがストッパーを押し、ストッパーが動いてロックが解除し、かつ何時でも伸縮可能であり、難しい遠隔操作でのロックの解除が可能となる。
【実施例】
【０００７】内筒９、中筒４、外筒３との、三重筒構造による、自立ステッキは、内筒上部に直動ストッパー、下部にベース部と反転三脚を備え、中筒には回り止めスリット、ストッパーホール、アーム軸兼ばね止めを備え、外筒には上部にグリップ、スリットと、そこに嵌るレバー、リターンばね、回り止めピン、下端に軸受け付きロックストッパーを備え、内筒下端のベース部と中筒内側のアーム軸兼ばね止めの間に大ばねを配し、伸縮可能となり、グリップを押すと、外、中筒は縮んでは下り、アームも下がり、連結する反転三脚が閉じロックし、ロックが解除すると、外、中筒は上に伸び、アームも伸び三脚が開く。前記各部材の組み合せによってなる自立ステッキ。【０００８】第１のストッパーは直動ストッパーと、二重角状体と、ストッパーホールとにより構成され、内筒の上部内側に備えた直動ストッパー２４は、図の形状をなし、その上部のストッパートップ２８はクランク型に保持され、内部に小スプリング２９を備え、直動ストッパーは、内筒に設けた複数のスリット３４内に嵌り、直動自在となり、直動ストッパーの先端は外側の中筒のストッパーホール２１に届き、直動ストッパーの先端が、中筒のストッパーホールと高さが同位になると、小スプリングの作用で前進しストッパーホールに嵌り自動ロックする事と、ストッパーの先端が後退するとストッパーホールから外れロックが解除する事とを特徴とする。【０００９】直動ストッパーに動きを伝え連動する、二重角状体は、内筒内側に垂直に配した角シャフト３２は断面が略四角形の棒状体で、下端の円形部にはカム３０を取り付け、その外側に角筒が嵌る図１０．角筒３３は断面が略四角形の筒状体であり、角シャフトと角筒との二重構造により、上下の伸縮自在である事と、上部と下部の回動リングに嵌り、軸ぶれを防ぎ、回動自在に保持されている事とを特徴とし、前記角筒の上端にレバー２を備え、レバーを押すと、角筒、角シャフト、カムも共に回動して前記ストッパートップを押す図８、図９、押されたストッパーの先端が後退して、前記中筒のストッパーホールから外れ、ロックが解除し、中筒は大ばね１０の作用で上方へ伸び、この動きが三脚８へと伝わり三脚が開いて杖は自立する。
前記角シャフトが常に一定の高さを保つため、下端に備えた保高ピン３６は、内筒の保高スリット２３に嵌り回動しつつ保高し、角筒は上端のレバーが保高を兼ねる．【００１０】押したレバーから指を離すと、角筒上端のリターンバネ３７の作用で角筒、角シャフト、カムは元の位置に戻り、直動ストッパーも小スプリングの作用で元の位置に戻り、押したレバーの回動は、角筒と角シャフトの間の上下の伸縮で嵌る位置が変化しても、確実に角筒から角シャフトに回動が伝わり、更にカムの回動になり、カムは直動ストッパーを押し、押されたストッパーは後退し、中筒のストッパーホールとのロックが解除出来、更に前記角シャフトと角筒の二重構造は、いかなる頻繁、不規則な杖の長さの変化にも、等位伸縮と、回動と、直動とが同時に行われ、レバーの動きをストッパーに伝える。角筒と角シャフトの伸縮と回動、カムの回動、直動ストッパーの組み合わせで、杖の長さが変化しても、離れたグリップ付近のレバーの操作で、直動ストッパーが中筒のロックを解除出来る事と、グリップ１を下方に押すだけで、外筒と中筒が共に縮んで下がり、この動きで三脚が閉じ、下げ止まった位置で中筒のストッパーホールと直動ストッパーが同じ高さになり、中筒が自動ロックされる事とによって、レバーとグリップで直動ストッパーの遠隔操作が出来る事を特徴とする二重角状体は前記直動ストッパーと組み合わせる事により連動する。【００１１】杖の長さを身長に合わせて調節し、ロックする従来の技術はピンと多数のピンホールのストッパーと、ねじで締め付けるタイプを組み合わせたものが多いが、高齢者にはねじをしっかり締められない人もいる、又、ピンとピンホールタイプは長期の使用で磨耗し、ガタつきや雑音が発生するので、前記と別の、高齢者が簡単なワンタッチで操作出来るロックストッパーを提供する。
前記、身長にあわせた長さの調節には新に外筒を加え、三重筒構造とし、外筒の内側に配した回り止めピン１１は中筒の回り止めスリット２０に延び、外筒と中筒は常に向きを同じ方向に保ち、回らないで垂直方向のみ上下動する。外筒を上下動して長さを調節した後、ロックする。【００１２】軸受け付きロックストッパー１４は、略環状体で、その中央に水平に切り込み１５があり、円周の過半数以上に達し、その上下は分断され、又、円周の半分未満の環状体図１７、Ｃ−Ｃ間の、上環下環は固着し一体化していて、切り込みより下の下環の前面中央は分離し隙間があり、その両端左右に複数の軸受け２５を配し、軸受けに連なる下環には弾性があり、軸受けに左右から力を加えると、左右の軸受けは接近し、連なる下環の内径も小さくなり、内側に嵌る中筒を締め付けてロックが出来。前記軸受けにはロックピン１８が嵌り、その一端に、図１５の形状のロックハンドル１６が、止めピン１９で連結され、止めピンを支点に回動自在に保持され、ロックハンドルが水平に位置する時は左右の軸受けは離間し、隙間があき、連なる下環もゆるみ、弾性で元の径に戻り、内側を通る中筒は上下動出来、杖の長さを変えられ、長さを変えたら、前記ロックハンドルを下方へ垂直に９０度回すと、左右の軸受けは接近し連なる下環も径が縮小して、内側を通る中筒を締め付けロックする。此の時、てこ、の原理で、強力な締め付け力が発生する【００１３】図１５、はロックハンドルを下方へ下げ、中筒をロックした状態ある。この時、支点の止めピンから右端までの距離と、止めピンから上端迄の距離の差により、左右の軸受けが接近したり離間したりする。前記環状体の上側の上環は外筒の下端に固着し一体化をなし、下環の内側には、図１４のスペーサー１７を取り付けて、その一部は切断され隙間があり、円周の半分未満は下環に固着され、円周の過半数以上は自由に動くフリーとなっていて、下環と連動して中筒をロックし又は解除すると共に、スペーサーは下環と中筒との径の差の隙間を埋めている【００１４】概ロックハンドルが水平の時、軸受け付き下環は拡径して中筒のロックを解除し、垂直の時は、軸受け付き下環は縮径して中筒を締め付けロックする事と、てこ、の原理で僅かの力で強い締め付け力が発生する事とを特徴とし、杖の長さを調節する時はロックハンドル水平にするとストッパーが拡径してゆるみ、外筒を上下動して長さを調節したら、ロックハンドルを下方へ垂直に下げるだけで強くロック出来、ロック後外筒と中筒は一体化して共に連動する。高齢者でも力を使う事なく簡単なワンタッチ操作で確実に、ロックし、ロックを解除出来る。自立ステッキに備えた、第２の、軸受け付きロックストッパー
【図面の簡単な説明】
【００１５】
【図１】全体を示し、部材の符号を示す  側面図
【図２】全体の構造を説明する  斜視図
【図３】外筒と中筒を外し、中の構造を示す  側面図
【図４】断面Ａ−Ａの位置を示す  側面図
【図５】断面Ｂ−Ｂの位置を示す  側面図
【図６】直動ストッパーを示す  側面図
【図７】直動ストッパーとカムを説明する  前面図
【図８】直動ストッパーとカムの動きを説明するＡ−Ａの断面図
【図９】直動ストッパーとカムの動きを説明するＡ−Ａの断面図
【図１０】角シャフトと角筒の嵌合を示す  斜視図
【図１１】直動ストッパーとカムと角シャフトを説明するＢ−Ｂの断面図
【図１２】直動ストッパーのシステム全体を示す斜視図
【図１３】角筒上部のリターンばねとレバーを示す斜視図
【図１４】軸受け付きロックストッパーの全体を説明する斜視図
【図１５】軸受け付きロックストッパーのロックハンドルの形状を示す前面図
【図１６】軸受け付きロックストッパーを示す  平面図、
【図１７】軸受け付きロックストッパーを示す  底面図
【図１８】軸受け付きロックストッパーを示す  側面図
【符号の説明】
【００１６】  １、    グリップ
２、    レバー
３、    外筒
４、    中筒
５、    ベース部
６、    アーム
７、    バネカバー
８、    反転三脚
９、    内筒
１０、    大バネ
１１、    回り止めピン
１２、    三脚取り付け軸
１３、    アーム、三脚、連結部
１４、    軸受け付きロックストッパー
１５、    切り込み
１６、    ロックハンドル
１７、    スペーサー
１８、    ロックピン
１９、    止めピン
２０、    回り止めスリット
２１、    直動ストッパーホール
２２、    アーム軸兼ばね止め
２３、    角シャフト保高スリット
２４、    直動ストッパー
２５、    ロックストッパー軸受け
２６、    レバースリット
２７、    回動リング、上
２８、    直動ストッパートップ
２９、    小スプリング
３０、    カム
３１，    回動リング下
３２、    角シャフト
３３、    角筒
３４      直動スリット
３５      角シャフト円形部
３６      角シャフト保高ピン
３７      レバーリターンばね
３８      滑り止めゴム
３９      リターンばね止め
【図１】
2011245246.tif 000003
【図２】
2011245246.tif 000004
【図３】
2011245246.tif 000005
【図４】
2011245246.tif 000006
【図５】
2011245246.tif 000007
【図６】
2011245246.tif 000008
【図７】
2011245246.tif 000009
【図８】
2011245246.tif 000010
【図９】
2011245246.tif 000011
【図１０】
2011245246.tif 000012
【図１１】
2011245246.tif 000013
【図１２】
2011245246.tif 000014
【図１３】
2011245246.tif 000015
【図１４】
2011245246.tif 000016
【図１５】
2011245246.tif 000017
【図１６】
2011245246.tif 000018
【図１７】
2011245246.tif 000019
【図１８】
2011245246.tif 000020